(57)【要約】【課題】映像再生装置の起動時間に、コンテンツデータを再生することにより、利用者の不満を低減する。【解決手段】映像再生装置１は、第１コンテンツを再生する各種アプリ及びデバイス１１０と、各種アプリ及びデバイス１１０を起動する制御部１０４と、第２コンテンツを記憶する第２コンテンツ記憶部１０３と、第２コンテンツを再生する第２再生部１０２と、制御部１０４と第２再生部１０２とを起動するブートローダ１０１とを備える。第１コンテンツは、各種アプリ及びデバイス１１０の起動が完了した後に、各種アプリ及びデバイス１１０によって再生され、制御部１０４が起動中である期間の少なくとも一部、第２再生部１０２が第２コンテンツを再生することを特徴とする。【選択図】図２
2010239209.tif 000002
【特許請求の範囲】
【請求項１】
第１コンテンツを再生する第１再生部と、
前記第１再生部を起動する制御部と、
第２コンテンツを記憶する第２コンテンツ記憶部と、
前記第２コンテンツを再生する第２再生部と、
前記制御部と前記第２再生部とを起動する起動用制御部とを備え、
前記第１コンテンツは、前記第１再生部の起動が完了した後に、第１再生部によって再生され、
前記制御部が起動中である期間の少なくとも一部、前記第２再生部が前記第２コンテンツを再生することを特徴とする
再生装置。
【請求項２】
第３コンテンツを記憶する第３コンテンツ記憶部と、
前記第３コンテンツを再生する第３再生部とをさらに備え、
前記第１再生部が起動中である期間の少なくとも一部、前記第３再生部が前記第３コンテンツを再生することを特徴とする
請求項１記載の再生装置。
【請求項３】
前記第１再生部から取得した情報に対応する第２コンテンツを取得し、前記第２コンテンツ記憶部に記憶させるコンテンツ取得手段を備えることを特徴とする
請求項１記載の再生装置。
【請求項４】
前記第１再生部から取得した情報に対応する第３コンテンツを取得し、前記第３コンテンツ記憶部に記憶させるコンテンツ取得手段を備えることを特徴とする
請求項２記載の再生装置。
【請求項５】
前記制御部はＯＳであり、
前記起動用制御部はブートローダであることを特徴とする
請求項１記載の再生装置。
【請求項６】
第１コンテンツを再生する第１再生部と、
前記第１再生部を起動及び停止させる制御部と、
第３コンテンツを記憶する第３コンテンツ記憶部と、
前記第３コンテンツを再生する第３再生部と、
前記制御部が、前記第１再生部を停止処理中である期間の少なくとも一部、前記第３再生部が前記第３コンテンツを再生することを特徴とする
再生装置。
【請求項７】
第１コンテンツを再生する第１再生部と、
前記第１再生部を起動させること、前記第１再生部から状態情報を取得すること、及び、前記状態情報からメニュー画面を作成する制御部と、
第３コンテンツを記憶する第３コンテンツ記憶部と、
前記第３コンテンツを再生する第３再生部と、
前記制御部が前記第１再生部から状態情報を取得する期間、及び前記状態情報からメニュー画面を作成する期間の少なくとも一部、前記第３再生部が前記第３コンテンツを再生することを特徴とする
再生装置。
【請求項８】
第１コンテンツを再生する第１再生部と、
前記第１再生部を起動させる制御部と、
チャンネルの切り替えを行うチューナー制御部と、
第３コンテンツを記憶する第３コンテンツ記憶部と、
前記第３コンテンツを再生する第３再生部と、
前記チューナー制御部がチャンネルの切り替えを行う期間の少なくとも一部、前記第３再生部が前記第３コンテンツを再生することを特徴とする
再生装置。
【請求項９】
第１コンテンツを再生する第１再生機能と、
前記第１再生機能を起動させる制御機能と、
第２コンテンツを記憶する第２コンテンツ記憶機能と、
前記第２コンテンツを再生する第２再生機能と、
前記制御機能と前記第２再生機能を起動させる起動用制御機能とを備え、
前記第１コンテンツは、前記第１再生機能の起動が完了した後に、前記第１再生機能によって再生され、
前記制御機能が起動中である期間の少なくとも一部、前記第２再生機能が前記第２コンテンツを再生することを特徴とする
再生装置の制御プログラム。
【請求項１０】
第１コンテンツを再生する第１再生部と、
前記第１再生部を起動する制御部と、
第２コンテンツを記憶する記憶部と、
前記第２コンテンツを再生する第２再生部と、
前記制御部と前記第２再生部とを起動する起動用制御部と、
第３コンテンツを記憶する第３コンテンツ記憶部と、
第３コンテンツを再生する第３再生部とを備える再生装置の動作方法であって、
前記起動用制御部が、前記制御部を起動させるステップと、
前記制御部が起動中である期間の少なくとも一部、前記第２再生部が前記第２コンテンツを再生するステップと、
前記制御部が、前記第１再生部を起動するステップと、
前記第１再生部が起動中である期間の少なくとも一部、前記第３再生部が前記第３コンテンツを再生するステップとを有する
再生性装置の動作方法。
【発明の詳細な説明】
【技術分野】
【０００１】
本発明は、再生装置に関する。
【背景技術】
【０００２】
映像再生装置として、テレビ、ＤＶＤプレイヤー、ＤＶＤレコーダー、ハードディスクレコーダー等がある。
【０００３】
近年、映像再生装置は、求められる機能の高度化や、高精細な映像コンテンツを扱うことを可能にするため等の理由により、映像再生装置の高機能化が進み、その起動等の映像再生装置の操作時の待ち時間が長くなっている。この長い待ち時間により、映像再生装置の利用者は、不満を感じる。例えば、現在市販されている映像再生装置のうち高機能ＨＤＤレコーダーは、起動処理に、１分程度要するものもある。
【０００４】
この待ち時間が長くなることによる利用者の不満を解決する技術として、特許文献１の技術がある。
【０００５】
この技術によれば、テレビ等の受信装置において、電源スイッチをオンにしてから番組データが出力されるまでにコンテンツデータ（ＣＭデータ）を出力し、これに基づく画像をディスプレイの画面上に表示することができる。
【先行技術文献】
【特許文献】
【０００６】
【特許文献１】特開２００５−８０１０２号公報
【発明の概要】
【発明が解決しようとする課題】
【０００７】
しかしながら、特許文献１の技術には、コンテンツデータをどのように取得格納するか、テレビ等の受信装置の起動時に、どのようにコンテンツデータを表示するかについて明示されていない。
【０００８】
本発明は、利用者が、映像再生装置を操作した際に発生する操作時間において、映像再生装置が、コンテンツデータを再生することにより、利用者による映像再生装置操作時の不満を低減することを目的とする。
【課題を解決するための手段】
【０００９】
上記目的を達成するために、本発明の一実施形態に係る再生装置は、第１コンテンツを再生する第１再生部と、前記第１再生部を起動する制御部と、第２コンテンツを記憶する第２コンテンツ記憶部と、前記第２コンテンツを再生する第２再生部と、前記制御部と前記第２再生部とを起動する起動用制御部とを備え、前記第１コンテンツは、前記第１再生部の起動が完了した後に、第１再生部によって再生され、前記制御部が起動中である期間の少なくとも一部、前記第２再生部が前記第２コンテンツを再生することを特徴とする。
【００１０】
また、本発明の一実施形態に係る再生装置の制御プログラム及び動作方法は、上記再生装置で実行できるプログラム及び方法である。
【発明の効果】
【００１１】
本発明によれば、利用者が、映像再生装置を操作した際に発生する操作時間において、映像再生装置が、コンテンツデータを再生することにより、利用者の不満を低減することができる。
【図面の簡単な説明】
【００１２】
【図１】第１の実施形態に係る通信システムのブロック図。
【図２】第１の実施形態に係る映像再生装置のブロック図。
【図３】第１の実施形態に係るコンテンツサーバのブロック図。
【図４】第１の実施形態に係る映像再生装置がコンテンツを取得する動作を示す流れ図。
【図５】第１の実施形態に係る映像再生装置がコンテンツを取得する動作を示すフローチャート。
【図６】第１の実施形態に係るコンテンツサーバの動作を示すフローチャート。
【図７】第１の実施形態に係る映像再生装置がコンテンツを再生する動作を示す流れ図。
【図８】第１の実施形態に係る映像再生装置がコンテンツを再生する動作を示すフローチャート。
【図９】第１の実施形態に係る通信システムの変形例のブロック図。
【図１０】第１の実施形態の変形例１に係る映像再生装置のブロック図。
【図１１】第１の実施形態の変形例１に係る映像再生装置のコンテンツを取得する動作を示すフローチャート。
【図１２】第１の実施形態の変形例２に係る映像再生装置のコンテンツを取得する動作を示すフローチャート。
【図１３】第１の実施形態の変形例３に係る映像再生装置のコンテンツを再生する動作を示すフローチャート。
【図１４】第１の実施形態の変形例３に係る映像再生装置のコンテンツを再生する動作を示す流れ図。
【図１５】第１の実施形態の変形例４に係る映像再生装置のコンテンツを再生する動作を示すフローチャート。
【図１６】第１の実施形態の変形例４に係る映像再生装置のコンテンツを再生する動作を示す流れ図。
【図１７】第１の実施形態の変形例５に係る映像再生装置のコンテンツを再生する動作を示すフローチャート。
【図１８】第１の実施形態の変形例５に係る映像再生装置のコンテンツを再生する動作を示す流れ図。
【図１９】第１の実施形態の変形例６に係る映像再生装置のコンテンツを再生する動作を示すフローチャート。
【図２０】第１の実施形態の変形例６に係る映像再生装置のコンテンツを再生する動作を示す流れ図。
【発明を実施するための形態】
【００１３】
以下、本発明の実施形態について説明する。
【００１４】
（第１の実施形態）
図１は、本実施形態に係る通信システムを示すブロック図である。
【００１５】
本時実施形態に係る通信システムは、映像再生装置１、放送波受信機３、映像表示装置２、コンテンツサーバ６、放送局７、放送波通信網５、ネットワーク４を備える。尚、本実施形態にける通信システムにおいては、映像再生装置１、放送波受信機３及び映像表示装置２は、同一宅内にあるものとする。
【００１６】
映像再生装置１は、本実施形態においては、ハードディスクレコーダー機能を備えたＤＶＤプレイヤーである。各種の記憶メデイアにコンテンツを記憶し、再生することができる。
【００１７】
映像表示装置２は、本実施形態においては、テレビである。映像表示装置２は、映像再生装置１が出力するコンテンツを画面に表示する。映像表示装置２は、ＨＤＭI端子、コンポジット端子、Ｄ端子等により映像再生装置１と接続されている。
【００１８】
放送局７は、テレビ放送等のコンテンツを放送する設備である。
【００１９】
放送波受信機３は、テレビ放送等のコンテンツを放送波通信網５を介して放送局７から受信し、受信したコンテンツを映像再生装置１へと転送する。
【００２０】
コンテンツサーバ６は、映像再生装置１の起動時に再生するための起動用コンテンツ（第２コンテンツ、又は第３コンテンツ）を格納するサーバである。コンテンツサーバ６は、映像再生装置１からコンテンツの要求を受信すると、コンテンツを映像再生装置１に対して、ネットワーク４を介して送信する。
【００２１】
ネットワーク４は、本実施形態においては、映像再生装置１とコンテンツサーバ６間の通信のために利用される。ネットワーク４は、例えば、インターネットである。
【００２２】
図２は、第１の実施形態に係る映像再生装置１を示すブロック図である。この映像再生装置１は、電源スイッチをオンにしてから映像再生装置１の起動が完了するまでの間に、コンテンツサーバ６から得た起動用のコンテンツを映像表示装置２に表示することができる。
【００２３】
映像再生装置１は、ブートエリア１１１を備え、ブートエリア１１１には図示しない電源スイッチがオンになると最初に起動するブートローダ１０１（起動用制御部）、第２コンテンツを再生する第２再生部１０２、第２コンテンツを記憶する第２コンテンツ記憶部１０３が設けられている。本実施形態の映像再生装置１によれば、ブートローダ１０１が制御部（OS）１０４を起動するときに、同時に第２再生部１０２によって第２コンテンツを再生する。
【００２４】
本映像再生装置１はさらに、放送局７から受信した第１コンテンツなどを再生するための各種アプリ及びデバイス１１０、アプリ及びデバイス１１０その他の制御を行う制御部（OS）１０４、第３コンテンツを再生する第３再生部１０５、第３コンテンツを記憶する第３コンテンツ記憶部１０６を備えて、第２コンテンツの再生後に、制御部１０４がアプリ及びデバイス１１０を起動するときに、同時に第３再生部１０５によって第３コンテンツを再生する。
【００２５】
また、映像再生装置１は制御部１０４の動作（アクション）を検出するアクション検出部１０７、各種のコンテンツを映像表示装置２に表示するための制御を行う表示制御部１０８、第２コンテンツ及び第３コンテンツを取得するためのコンテンツ取得部１０９、映像再生のための各種アプリ及びデバイス１１０を備えている。
【００２６】
ブートローダ１０１、第２再生部１０２、第２コンテンツ記憶部１０３は、ブートエリア１１１に存在する。ここで、ブートエリア１１１とは、ブートローダ１０１が格納される記憶領域であって、制御部１０４の起動が完了する前にブートローダ１０１がアクセス可能な領域である。また、ブートエリア１１１は、実装上、映像再生装置１が搭載するＦＬＡＳＨメモリやハードディスクドライブのパーティションの先頭の記憶領域である。
【００２７】
ブートローダ１０１は、映像再生装置１の電源が入って、起動すると、システムに組み込まれたＢＩＯＳから最初に起動されるプログラムである。
【００２８】
ブートローダ１０１は、制御部１０４を起動させる。制御部１０４起動後は、ブートローダ１０１は、動作を完了し、その後は、制御部１０４が、映像再生装置１の動作を制御する。また、ブートローダ１０１は、制御部１０４の起動処理を開始するときに、第２再生部１０２を起動させる。そして、ブートローダ１０１は、第２再生部に対して、第２コンテンツの再生を指示する。
【００２９】
第２再生部１０２は、ブートローダ１０１から第２コンテンツの再生の指示を受けると、第２コンテンツ記憶部１０３から第２コンテンツを取得して、再生する。そして、第２再生部１０２は、表示制御部１０８に対して、第２コンテンツの表示を指示する。
【００３０】
ここで、例えば、第２再生部１０２は、第２コンテンツを取得する際に、第２コンテンツ記憶部１０３に対して、キー情報を通知することにより、第２コンテンツを要求する。例えば、キー情報は、前回映像再生装置１を停止した際の時刻情報である。ここで、このキー情報は、映像再生装置１の起動中に、制御部１０４により、ブートエリア１１１に格納されている。尚、キー情報は、前回の映像再生装置１の起動時に最後に利用した機能でも良い。
【００３１】
第２コンテンツ記憶部１０３は、映像再生装置１の動作中に、コンテンツ取得部１０９により取得した複数の第２コンテンツを記憶している。第２コンテンツ記憶部１０３は、各々の第２コンテンツをキー情報と対応付けて記憶している。第２コンテンツ記憶部１０３は、第２再生部１０２から指示を受けると、第２再生部１０２に対して、第２コンテンツを提供する。例えば、第２再生部１０２からの指示が、キー情報（前回の映像再生装置１を停止した際の時刻情報）を含む場合、第２コンテンツ記憶部１０３は、この前回映像再生装置１を停止した際の時刻情報に対応する第２コンテンツを、第２再生部１０２に対して提供する。尚、第２コンテンツ記憶部１０３は、コンテンツ取得部１０９によって格納された複数の第２コンテンツを組み合わせて１つの第２コンテンツとして合成して、提供しても良い。
【００３２】
制御部１０４は、映像再生装置１全体の動作を制御する。例えば、各種アプリ及びデバイス１１０の初期化処理及び起動処理を行う。また、制御部１０４は、各種アプリ及びデバイス１１０の初期化処理及び起動処理開始時、又は、開始直前に、第３再生部１０５に対して、第３コンテンツの再生を指示する。また、制御部１０４は、各種アプリ及びデバイス１１０の停止処理も行う。
【００３３】
第３再生部１０５は、制御部１０４から第３コンテンツ再生の指示を受けると、第３コンテンツ記憶部１０６から第３コンテンツを取得して、表示制御部１０８に信号として送ることにより、映像表示装置２に第３コンテンツを表示するよう指示する。例えば、第３再生部１０５は、取得した第３コンテンツをデコードして、デコードした第３コンテンツを表示制御部に送る。
【００３４】
尚、例えば、第３再生部１０５は、第３コンテンツ記憶部１０６から第３コンテンツを取得する際に、第３コンテンツ記憶部１０６に対して、キー情報を通知することにより、第３コンテンツを要求する。キー情報としては、例えば、「映像再生装置１に挿入されているコンテンツメディアの識別子情報」を用いる。このコンテンツメディアの識別子情報は、制御部１０４が、前回の映像再生装置１の起動中に、各種アプリ及デバイス１１０から取得しておく。
【００３５】
「映像再生装置１に挿入されているコンテンツメディアの識別子情報」とは、例えば、ＤＶＤドライブに挿入されているＤＶＤメディアのＣｏｎｔｅｎｔ  ＩＤ情報、又はＩｎｄｅｘｉｎｇ情報、ＳＤカードドライブに挿入されているＳＤカードメディアのＣｏｎｔｅｎｔ  ＩＤ情報、又は、Ｉｎｄｅｘｉｎｇ情報、ＨＤＤに保存されているコンテンツのタイトル情報、又は、メタデータ情報である。
【００３６】
尚、キー情報としては、「現在の映像再生装置１の設定情報及び状態情報」、又は、「映像再生装置１の操作履歴情報」であってもよい。
【００３７】
「現在の映像再生装置１の設定情報及び状態情報」とは、例えば、映像再生装置１の現在の設定時刻情報、機種識別番号、個体識別番号、仕向け地情報（例えば、リージョンコード）、又は、設定チャンネル情報である。
【００３８】
また、「映像再生装置１の操作履歴情報」とは、例えば、映像再生装置１における直前の操作内容、最も多い利用時間帯、又は、最も多い利用メディアである。
【００３９】
第３コンテンツ記憶部１０６は、映像再生装置１の動作中に、コンテンツ取得部１０９により取得した複数の第３コンテンツを記憶している。第３コンテンツ記憶部１０６は、各々の第３コンテンツをキー情報と対応付けて記憶している。第３コンテンツ記憶部１０６は、第３再生部１０５から指示を受けると、第３再生部１０５に対して、第３コンテンツを提供する。例えば、第３再生部１０５からの指示が、キー情報（コンテンツメディアの識別子情報）により指定された場合、第３コンテンツ記憶部１０６は、コンテンツメディアの識別子情報に対応する第３コンテンツを提供する。尚、第３コンテンツ記憶部１０６は、コンテンツ取得部１０９によって格納された複数の第３コンテンツを組み合わせて１つの第３コンテンツとして合成して、提供しても良い。例えば、第３コンテンツ記憶部１０６は、映像再生装置１が、今までに映像再生装置１において再生したＤＶＤに関連する第３コンテンツを全て蓄積しておくことにより、それを合成して、提供することにより、ＤＶＤ閲覧記録のコレクションを第３コンテンツとして提供することができる。また、今までに再生したＤＶＤに関連する第３コンテンツに加えて、利用者の閲覧していないＤＶＤに関する第３コンテンツを合成し、提供することにより、コマーシャル効果を達成することができる。この場合、第３再生部により再生され、表示制御部１０８の制御により映像表示装置１０２が表示する映像は、例えば、複数の映像をサムネイルとして表示する。
【００４０】
表示制御部１０８は、映像表示装置２により、コンテンツを再生表示させる。表示制御部１０８は、例えば、第２再生部１０２、第３再生部１０５の指示により、第２コンテンツ、第３コンテンツを、映像表示装置２により再生表示させる。また、表示制御部１０８は、ブートローダ１０１や、制御部１０４から、表示の指示を受けてコンテンツを、映像表示装置２により、再生表示させる。また、表示制御部１０８は、各種アプリ及びデバイス１１０からの指示により、ＨＤＤ、ＤＶＤ、ＳＤカード等のメディアに格納されたコンテンツや、放送波によって受信したコンテンツを、映像表示装置２により、表示再生させる。表示制御部１０８は、ＨＤＭＩ端子、コンポジット映像信号端子、Ｄ端子のような外部接続端子を備え、外部接続端子を介して、コンテンツを映像信号として映像表示装置２に出力することにより、映像を表示する。尚、本実施形態では、映像再生装置２が、ＤＶＤプレイヤーである場合について説明したが、映像再生装置１がテレビである場合、表示制御部１０８は、映像再生装置が備える液晶やプラズマ等によって実現される映像パネルによりコンテンツを表示、再生する。
【００４１】
各種アプリ及びデバイス１１０は、映像再生装置１の各種機能（例えば、第１コンテンツを再生する第１再生機能を備える。）を実現するアプリケーション及びデバイスの集合である。尚、アプリ及びデバイス１１０のうち、第１再生機能を達成する手段を第１再生部とする。
【００４２】
各種アプリ及びデバイス１１０としては、アプリケーションとして、ＨＤＤ制御部１１０１Ａ、ＤＶＤ制御部１１０２Ａ、ネット制御部１１０３Ａ、チューナー制御部１１０４Ａ、デバイスとして、ＨＤＤ部１１０１Ｂ、ＤＶＤ部１１０２Ｂ、ネットＩ／Ｆ部１１０３Ｂ、チューナー部１１０４Ｂを備える。
【００４３】
ＨＤＤ制御部１１０１Ａ及びＨＤＤ部１１０１Ｂは、ＴＶ放送やネットワーク４上のサーバから取得する第１コンテンツを保存するＨＤＤ機能を有する。
【００４４】
ＤＶＤ制御部１１０２Ａ及びＤＶＤ部１１０２Ｂは、ＤＶＤディスクに保持された第１コンテンツを再生する機能、及びＤＶＤディスクに第１コンテンツを保存するＤＶＤ機能を有する。
【００４５】
チューナー制御部１１０４Ａ及びチューナー部１１０４Ｂは、映像再生装置１のユーザーが、ＴＶ放送のチャンネルを選択して放送局７から受信した第１コンテンツを再生するチューナー機能を有する。
【００４６】
ネット制御部１１０３Ａ及びネットＩ／Ｆ部１１０３Ｂは、インターネット上の第１コンテンツを取得して再生するネット機能を有する。
【００４７】
尚、各種アプリ及びデバイス１１０としてその他の構成を備えていても良い。例えば、アプリケーションとして、ＳＤカードドライブ部、デバイスとして、ＳＤカードドライブ制御部を備えていても良い。また、アプリケーションとして、リモコン操作受付部、タイマー制御部、保守制御部を備えていても良い。また、映像再生装置１がテレビである場合、アプリケーションとして、チューナー制御部１１０４Ａ、デバイスとして、チューナー部１１０４Ｂのみを含む構成であっても良い。
【００４８】
アクション検出部１０７は、制御部１０４を監視して、映像再生装置１の特定の動作あるいは操作を検出して、コンテンツ取得部１０９に対して、第３コンテンツ、又は第２コンテンツの取得を指示する。上記映像再生装置１の特定の動作あるいは操作としては、様々なものがある。例えば、映像再生装置１の起動動作完了、映像再生装置１の停止動作指示、ＤＶＤ等のメディア挿入完了、ＤＶＤ等のメディアの再生操作、ＤＶＤ等のメディア一時停止操作完了、ＤＶＤ等のメディア停止操作完了、利用者による映像再生装置１への第３コンテンツ、若しくは、利用者による明示的な第２コンテンツの取得指示、などである。尚、上記特定の動作あるいは操作として、映像再生装置１の処理負荷が低い動作あるいは操作であることが好ましい。
【００４９】
コンテンツ取得部１０９は、アクション検出部１０７からの指示を受けると、ネットワーク４を介してコンテンツサーバ６から第３コンテンツ、又は第２コンテンツを取得し、取得した第３コンテンツ、第２コンテンツを、それぞれ、第３コンテンツ記憶部１０６、第２コンテンツ記憶部１０３、に格納する。
【００５０】
コンテンツ取得部１０９は、第３コンテンツ、又は第２コンテンツを特定するキー情報をコンテンツサーバ６に送信して、コンテンツサーバ６からキー情報に対応する第３コンテンツ、又は第２コンテンツを取得することにより、第３コンテンツ、又は第２コンテンツを取得する。コンテンツ取得部１０９は、映像再生装置１０１の動作中に、第３コンテンツ、又は第２コンテンツを特定するキー情報を、各種アプリ及びデバイス１１０のいずれかから取得する。
【００５１】
第３コンテンツ、又は第２コンテンツを特定するためのキー情報は、例えば、「現在の映像再生装置１の設定情報及び状態情報」、「映像再生装置１に挿入されているコンテンツメディアの識別子情報」、又は、「映像再生装置１の操作履歴情報」である。また、キー情報としては、これらの情報を組み合わせても良い。また、第３コンテンツ、又は第２コンテンツを特定するためのキー情報としては、アクション検出部１０７が検出したアクションの種類に関する情報を更に組み合わせても良い。
【００５２】
尚、コンテンツ取得部１０９は、第３コンテンツ、又は第２コンテンツを特定するためのキー情報をコンテンツサーバ６に対して送信するに際して、映像再生装置１とコンテンツサーバ６との間のデータの交換は暗号化あるいは認証がなされ、セキュリティが確保されていても良い。
【００５３】
また、コンテンツ取得部１０９は、コンテンツサーバ６からキー情報に対応する第３コンテンツ、又は第２コンテンツを取得する際に、第３コンテンツ、又は第２コンテンツを含むコンテンツ応答メッセージに暗号化あるいは認証などのセキュリティ機能が付加されている場合、メッセージの複号化あるいは検証（正統性確認）を行っても良い。
【００５４】
上述した「現在の映像再生装置１の設定情報及び状態情報」とは、例えば、映像再生装置１の現在の設定時刻情報、映像再生装置１の機種識別番号、映像再生装置１の個体識別番号、又は、映像再生装置１の仕向け地情報（例えば、リージョンコード）である。
【００５５】
また、上述した「映像再生装置１に挿入されているコンテンツメディアの識別子情報」とは、例えば、ＤＶＤドライブに挿入されているＤＶＤメディアのＣｏｎｔｅｎｔ  ＩＤ情報、若しくは、Ｉｎｄｅｘｉｎｇ情報、ＳＤカードドライブに挿入されているＳＤカードメディアのＣｏｎｔｅｎｔ  ＩＤ情報、若しくは、Ｉｎｄｅｘｉｎｇ情報、ＨＤＤに保存されているコンテンツのタイトル情報、若しくは、メタデータ情報である。
【００５６】
また、「映像再生装置１の操作履歴情報」とは、例えば、映像再生装置１における直前の操作内容、最も多い利用時間帯、若しくは、最も多い利用メディアである。
【００５７】
次に、本実施形態に係るコンテンツサーバ６の構成について説明する。図３は、本実施形態に係るコンテンツサーバ６を示すブロック図である。
【００５８】
コンテンツサーバ６は、キー情報受信部６０２と、コンテンツ送信部６０１と、サーバ制御部６０３と、データベース６０４とを備える。
【００５９】
キー情報受信部６０２は、ネットワーク４を介して、映像再生装置１から送信された第３コンテンツ、又は第２コンテンツを特定するためのキー情報を含むコンテンツ要求メッセージを受信し、サーバ制御部６０３に対して、キー情報に対応する第３コンテンツ又は第２コンテンツを取得するように指示する。尚、キー情報受信部６０２は、受信したキー情報を含むコンテンツ要求メッセージに暗号化あるいは認証などのセキュリティ機能が付加されている場合、コンテンツ要求メッセージの復号化あるいは、検証（正統性確認）を行う機能を有していても良い。
【００６０】
コンテンツ送信部６０１は、取得した第３コンテンツ又は第２コンテンツを、ネットワーク４を介して映像再生装置１に対してコンテンツ応答メッセージとして送信する。
【００６１】
データベース６０４は、キー情報とそれに対応する第３コンテンツ又は第２コンテンツを記憶する。
【００６２】
データベース６０４は、例えば、キー情報として、ＤＶＤメディアのＣｏｎｔｅｎｔ  ＩＤ情報を記憶し、そのキー情報に対応して、第３コンテンツ又は第２コンテンツとして、そのＤＶＤメディアのコンテンツに対応するキャラクターのコンテンツを記憶する。この場合、映像再生装置１は、このＤＶＤメディアを購入して映像再生装置１にて観賞しているユーザーに対して、この第３コンテンツ又は第２コンテンツを提供することにより、ＤＶＤコンテンツの付加情報を提供する映像サービスを提供することができる。
【００６３】
また、データベース６０４は、例えば、キー情報として、ＤＶＤメディアのＣｏｎｔｅｎｔ  ＩＤ情報を記憶し、そのキー情報に対応して、第３コンテンツ又は第２コンテンツとして、そのＤＶＤメディアのコンテンツに直接登場しない別のＤＶＤのキャラクターのコンテンツを記憶する。この場合、映像再生装置１は、このＤＶＤメディアを購入して映像再生装置１にて観賞しているユーザーに対して、この第３コンテンツ又は第２コンテンツを提供することにより、別のＤＶＤコンテンツを呼びかけるコマーシャルコンテンツ提供することができる。
【００６４】
また、データベース６０４は、キー情報として、映像再生装置１の操作履歴情報と映像再生装置１の機種識別情報を記憶し、そのキー情報に対応して、第３コンテンツ又は第２コンテンツとして、利用者に正しい操作方法を教えるためのコンテンツ記憶する。この場合、例えば、映像再生装置１の利用者が、同じ操作を何度も繰り返したり、失敗した場合、操作履歴情報と機種識別情報をキー情報として、コンテンツサーバ６に送信することにより、正しい操作方法を理解することができる。したがって、この場合、映像再生装置１は、ワンポイントヘルプ機能を提供することができる。
【００６５】
尚、データベース６０４は、キー情報に対応して、第３コンテンツを記憶していても、第２コンテンツを記憶していてもどちらでもよい。尚、ここで、第２コンテンツと第３コンテンツは、同一の映像であって、区別なく記憶していても良い。一方、第２コンテンツと第３コンテンツを区別して記憶していても良い。例えば、第２コンテンツは、ビットマップ等によって構成される静止画であり、第３コンテンツは、フラッシュで作成された高精細なアニメーション動画である。ブートローダ１０１の動作中（第２コンテンツ再生時）と比べて、制御部１０４が起動した後（第３コンテンツ再生時）の方が、高精細な映像コンテンツの表示再生が可能だからである。
【００６６】
サーバ制御部６０３は、キー情報受信部６０２からの指示により、データベース６０４から、キー情報に対応する第３コンテンツ又は第２コンテンツを取得し、取得した第３コンテンツ又は第２コンテンツをコンテンツ送信部６０１に対して、コンテンツ応答メッセージとして送信するように指示する。尚、サーバ制御部６０３は、例えば、コンテンツ要求メッセージに含まれるキー情報のすべてを基にコンテンツを特定し、取得する。一方、キー情報の一部を基にコンテンツを特定して、取得しても良い。
【００６７】
次に、本実施形態に係る映像再生装置１の動作方法について説明する。以下では、映像再生装置１の第３コンテンツ又は第２コンテンツを取得する方法と映像再生装置１の起動処理中における第３コンテンツ又は第２コンテンツを再生表示する方法について説明する。
【００６８】
まず、映像再生装置１の第３コンテンツ又は第２コンテンツを取得する方法について説明する。
【００６９】
図４は、本実施形態に係る映像再生装置１がコンテンツサーバ６から第３コンテンツ又は第２コンテンツを取得する動作を示す流れ図である。また、図５は、本実施形態にかかる映像再生装置１が第３コンテンツ又は第２コンテンツを取得する動作を示すフローチャートである。図６は、本実施形態にかかるコンテンツサーバ６の動作を示すフローチャートである。
【００７０】
まず、アクション検出部１０７が、制御部１０４から、映像再生装置１の特定の動作あるいは操作を検出する（Ｓ１０１）。例えば、映像再生装置１の起動動作完了を検出する。
【００７１】
次に、アクション検出部１０７は、コンテンツ取得部１０９に対して、第３コンテンツ又は第２コンテンツ取得を指示する（Ｓ１０２）。
【００７２】
次に、コンテンツ取得部１０９は、取得する第３コンテンツ又は第２コンテンツを決定するため、各種アプリ及びデバイス１１０に対して、第３コンテンツ又は第２コンテンツを特定するキー情報を、各種アプリ及びデバイス１１０に要求する（Ｓ１０３）。第３コンテンツ又は第２コンテンツを特定するキー情報としては、例えば、ＤＶＤドライブに挿入されているＤＶＤメディアのＣｏｎｔｅｎｔ  ＩＤ情報、映像再生装置１の機種識別番号、映像再生装置１の個体識別番号の組み合わせである。
【００７３】
次に、各種アプリ及びデバイス１１０は、コンテンツ取得部１０９に対して、第３コンテンツ又は第２コンテンツを特定するキー情報を、返答する（Ｓ１０４）。
【００７４】
次に、コンテンツ取得部１０９は、各種アプリ及びデバイス１１０から取得した情報とアクション検出部１０７が検出したアクション情報とを組み合わせた第３コンテンツ又は第２コンテンツを特定するキー情報を含めたコンテンツ要求メッセージを作成し、ネットワーク４を介して、外部ネットワーク４上のコンテンツサーバ６に対して送信する（Ｓ１０５）。
【００７５】
次に、コンテンツサーバ６のキー情報受信部６０２は、コンテンツ要求メッセージを受信する（Ｓ２０１）。
【００７６】
次に、キー情報受信部６０２の指示を受けて、コンテンツサーバ６のサーバ制御部６０３は、キー情報に対応する第３コンテンツ又は第２コンテンツを取得する。（Ｓ２０２）
次に、サーバ制御部６０３の指示を受けて、コンテンツサーバ６のコンテンツ送信部６０１は、第３コンテンツ又は第２コンテンツを含むコンテンツ応答メッセージを映像再生装置１に対して送信する（Ｓ２０３）。
【００７７】
次に、コンテンツ取得部１０９は、コンテンツサーバ６からコンテンツ応答メッセージとして、第３コンテンツ、又は、第２コンテンツを受信する（Ｓ１０６）。
【００７８】
次に、コンテンツ取得部１０９は、受信したコンテンツ応答メッセージに第２コンテンツが含まれている場合、第２コンテンツを第２コンテンツ記憶部１０３に格納する（Ｓ１０７）。
【００７９】
次に、コンテンツ取得部１０９は、受信したコンテンツ応答メッセージに第３コンテンツが含まれている場合、第３コンテンツを第３コンテンツ記憶部１０６に格納する（Ｓ１０８）。
【００８０】
次に、コンテンツ取得部１０９は、第３コンテンツ及び第２コンテンツの取得と第３コンテンツ記憶部１０６及び第２コンテンツ記憶部１０３への格納が完了したことを、アクション検出部１０７に通知する（Ｓ１０９）。
【００８１】
次に、アクション検出部１０７は、第２取得部は、第３コンテンツ及び第２コンテンツの取得と第３コンテンツ記憶部１０６及び第２コンテンツ記憶部１０３への格納が完了したことを識別する（Ｓ１１０）。
【００８２】
次に、映像再生装置１の起動処理中における第３コンテンツ又は第２コンテンツを再生表示する方法について説明する。
【００８３】
図７は、本実施形態に係る映像再生装置１の起動処理中における第３コンテンツ又は第２コンテンツを再生表示する動作を示す流れ図である。また、図８は、本実施形態にかかる映像再生装置１が起動処理中に、第３コンテンツ又は第２コンテンツを再生する動作を示すフローチャートである。
【００８４】
映像再生装置１の利用者が、映像再生装置１の電源をＯＮにすると（Ｓ３０１）、ＢＩＯＳが、ブートローダ１０１を起動させ、ブートローダ１０１は、ブート処理を開始する（Ｓ３０２）。即ち、ブートローダ１０１は、ブート処理として、制御部１０４を起動させるための準備及び処理を行う。また、ブートローダ１０１は、ブート処理として、更に、他のブートローダを読み出しても良い（二次ローダ）。
【００８５】
次に、ブートローダ１０１は、第２再生部１０２に対して、第２コンテンツの再生を指示する（Ｓ３０３）。尚、ブートローダ１０１は、第２コンテンツの再生の指示を、ブートローダ１０１のブート処理開始前に、行っても良い。
【００８６】
次に、第２再生部１０２は、第２コンテンツ記憶部１０３に対して、第２コンテンツを要求する（Ｓ３０４）。例えば、第２再生部１０２は、第２コンテンツ記憶部１０３に対する第２コンテンツ要求時に、キー情報を通知する。キー情報としては、例えば、前回、映像再生装置１を停止した際の時刻情報とする。
【００８７】
次に、第２コンテンツ記憶部１０３は、キー情報に対応する第２コンテンツを第２再生部１０２に対して提供する（Ｓ３０５）。
【００８８】
次に、第２再生部１０２は、第２コンテンツ記憶部１０３から受け取った第２コンテンツを再生して、再生した第２コンテンツを信号として送ることにより、表示制御部１０８に、第２コンテンツを表示するように指示する（Ｓ３０６）。
【００８９】
次に、表示制御部１０８は、第２コンテンツを映像再生装置２により表示させる（Ｓ３０７）。
【００９０】
次に、ブートローダ１０１は、制御部１０４の起動を完了させると、ブート処理を完了する（Ｓ３０８）。
【００９１】
次に、ブートローダ１０１が、ブート処理を完了すると、第２再生部１０２の再生処理を完了する（Ｓ３０９）。尚、第２再生部１０２の再生処理を完了しても、表示制御部１０８は、第２再生部１０２の再生処理完了前に指示された第２コンテンツの表示処理を継続する。
【００９２】
次に、制御部１０４は、各種アプリの初期化及びデバイスに対して、起動及び初期化の処理（各種アプリケーションの起動及び各種デバイスの初期化）を開始する（Ｓ３１０）。
【００９３】
次に、制御部１０４は、第３再生部１０５に対して、第３コンテンツの再生を指示する（Ｓ３１１）。尚、制御部１０４は、第３コンテンツの再生の指示を、各種アプリ及びデバイス１１０に対する起動及び初期化の開始前に、行っても良い。
【００９４】
次に、第３再生部１０５は、第３コンテンツ記憶部１０６に対して、第３コンテンツを要求する（Ｓ３１２）。例えば、第３再生部１０５は、第３コンテンツ記憶部１０６に対する第３コンテンツ要求時に、キー情報を通知する。キー情報としては、例えば、現在の映像再生装置１の状態情報として、現在の設定時刻情報を送信する。
【００９５】
次に、第３コンテンツ記憶部１０６は、キー情報に合致する第３コンテンツを第３再生部１０５に対して提供する（Ｓ３１３）。例えば、第３コンテンツ記憶部１０６は、キー情報の現在の設定時刻情報に対応して、早朝に映像再生装置１を起動した場合と、深夜に映像再生装置１を起動した場合とで、異なる第３コンテンツを提供する。
【００９６】
次に、第３再生部１０５は、第３再生部１０５から受け取った第３コンテンツを再生して、再生した第３コンテンツを信号として送ることにより、表示制御部１０８に第３コンテンツを表示するように指示する（Ｓ３１４）。
【００９７】
次に、表示制御部１０８は、第３コンテンツを映像表示装置２により表示させる（Ｓ３１５）。尚、Ｓ３０７において、映像表示装置２が、第２コンテンツの表示を継続している場合、表示制御部１０８は、第２コンテンツの表示を強制的に終了して、第３コンテンツを表示しても良いし、第２コンテンツの表示終了を待って、第３コンテンツを表示しても良い。
【００９８】
次に、制御部１０４は、全ての各種アプリ及びデバイス１１０に関する起動及び初期化の処理を完了すると、起動完了時の初期定常状態へと遷移する（Ｓ３１６）。
【００９９】
次に、制御部１０４が、起動及び初期化処理を完了すると、第３再生部１０５の再生処理を完了する（Ｓ３１７）。尚、第３再生部１０５の再生処理を完了しても、表示制御部１０８は、第３再生部１０５の再生処理完了前に指示された第３コンテンツの表示処理を継続する。
【０１００】
次に、制御部１０４は、表示制御部１０８に対して、映像再生装置１の初期定常画面の表示を指示する（Ｓ３１８）。
【０１０１】
次に、表示制御部１０８は、映像表示装置２により、初期定常画面を表示させる（Ｓ３１９）。尚、Ｓ３１５において、映像表示装置２が、第３コンテンツの表示を継続している場合、表示制御部１０８は、第３コンテンツの表示を強制的に終了して、初期定常画面を表示しても良いし、第３コンテンツの表示終了を待って、初期定常画面を表示しても良い。
【０１０２】
本実施形態にかかる映像再生装置１によれば、利用者が、映像再生装置１を起動処理中に、第３コンテンツ、及び第２コンテンツを表示することにより、起動処理中の映像再生装置１の利用者の不満を低減することができる。特に、本実施形態にかかる映像装置においては、ブートローダ１０１がアクセス可能な領域であるブートエリア１１１に、第２再生部１０２、第２コンテンツ記憶部１０３が存在し、制御部１０４がアクセス可能な領域に第３再生部１０５、第３コンテンツ記憶部１０６が存在することにより、起動時の２つのステップ、即ち、「起動制御部１０４による制御部１０４起動時」及び「制御部１０４による各種アプリ及びデバイス１１０起動時」に、それぞれ、第２コンテンツ、及び第３コンテンツを再生することにより、起動時の２つのステップにおいて、コンテンツデータを再生することができ、効果的に映像再生装置１の利用者の不満を低減することができる。
【０１０３】
尚、本実施形態は、上記実施形態そのままに限定されるものではなく、実施段階で要旨を逸脱しない範囲で構成要素を変形して具体化することができる。
【０１０４】
例えば、起動処理中におけるコンテンツの表示として、「ブート処理中」及び、「各種アプリ及びデバイス１１０の起動及び初期化処理中」いずれにおいても、再生表示したが、「ブート処理中」又は、「各種アプリ及びデバイス１１０の起動及び初期化処理中」いずれの場合においてのみ、コンテンツを表示しても良い。この場合、映像再生装置１は、「ブート処理中」のみ第２コンテンツを再生表示する場合として、第３再生部１０５、第３コンテンツ記憶部１０６を備えていなくても良い。また、映像再生装置１は、「各種アプリ及びデバイス１１０の起動及び初期化処理中」のみ第３コンテンツを再生表示する場合として、第２再生部１０２、第２コンテンツ記憶部１０３を備えていなくても良い。
【０１０５】
また、第２再生部１０２、第３再生部１０５は、それぞれ、ブートローダ１０１、制御部１０４、から指示があった場合、常に、第２コンテンツ、第３コンテンツを再生しなくても良い。例えば、第２再生部１０２、第３再生部１０５は、それぞれ、ある確率に従って若しくは、ある特定のキー情報のみが存在する場合に、第２コンテンツ、あるいは、第３コンテンツを再生しても良い。また、これらの起動時の第３コンテンツ再生表示方法については、利用者が事前に設定することで、その動作を定義することも可能である。例えば、利用者が事前に設定することにより、第２再生部１０２、又は、第３再生部１０５の再生機能をオフとすることにより、それぞれ、ブートローダ１０１、又は、制御部１０４から指示があっても、再生しないように設定できることとしても良い。
【０１０６】
また、本実施形態に係る映像再生装置１は、第３再生部１０５の機能を第２再生部１０２が備え、第３再生部１０５を備えない構成であっても良い。
【０１０７】
また、本実施形態に係る映像再生装置１は、第３コンテンツ記憶部１０６の機能を第２コンテンツ記憶部１０３が備え、第３コンテンツ記憶部１０６を備えない構成であっても良い。
【０１０８】
また、本実施形態に係る通信システムは、図１に示すように、コンテンツサーバ６は、宅内に設けなかったが、図９に示すように、宅内に設けても良い。この場合、コンテンツサーバ６は、例えば、本実施形態にかかる映像再生装置１と異なる映像再生装置１、又は、ホームサーバである。例えば、本実施形態に係る映像再生装置１が、ＴＶであり、コンテンツサーバ６に対応する映像再生装置１が、ＨＤＤレコーダーである場合がある。尚、コンテンツサーバ６が、宅内に設けられた場合の、本実施形態に係る映像再生装置１を含む通信システムの構成及び動作は、コンテンツサーバ６が宅内にあり、ネットワーク４が宅内ネットワーク４である以外は、同様である。尚、コンテンツサーバ６が、宅内に設けられた場合、映像再生装置１及びコンテンツサーバ６間で送受信するメッセージの暗号化及び認証のセキュリティ要件が異なる場合もある。
【０１０９】
また、本実施形態に係る映像再生装置１は、第３コンテンツ、又は第２コンテンツを取得する際に、ネットワーク４へのアクセスを行わず、映像再生装置１が保持しているコンテンツを、第３コンテンツ、又は第２コンテンツとして選択して取得しても良い。以下では、映像再生装置１が保持しているコンテンツを、第３コンテンツ、又は第２コンテンツとして選択して取得する場合として、２つの場合を説明する。（以下、それぞれ、変形例１、変形例２とする。）
（変形例１）
まず、１つ目の場合は、映像再生装置１が、図１０に示すように、第１の実施形態にかかる映像再生装置１の構成に加えて、更に、コンテンツデータベース１１２を備える場合である。例えば、映像再生装置１が、ＨＤＤレコーダーなどの、コンテンツを大量に蓄積保持する機能を備えている場合に可能である。この場合、コンテンツデータベース１１２は、キー情報とそれに対応する第３コンテンツ、又は第２コンテンツを記憶する。この場合の映像再生装置１の第３コンテンツ、又は第２コンテンツを取得する動作方法は、第１の実施形態にかかる映像再生装置１の動作方法におけるＳ１０１〜Ｓ１０４及びＳ１０７〜Ｓ１１０は同様であり、Ｓ１０５及びＳ１０６が異なる。従って、以下では、Ｓ１０５及びＳ１０６に変わって、行う処理Ｓ１０５´及びＳ１０６´について説明する。図１１に、この映像再生装置１が、第３コンテンツ、又は第２コンテンツを取得する動作方法を示すフローチャートを示す。コンテンツ取得部１０９は、各種アプリ及びデバイス１１０から取得した情報とアクション検出部１０７が検出したアクション情報とを組み合わせた第３コンテンツ、又は第２コンテンツを特定するキー情報をコンテンツデータベース１１２に対して通知する（Ｓ１０５´）。その結果、コンテンツ取得部１０９は、コンテンツデータベース１１２からキー情報に対応する第３コンテンツ、又は、第２コンテンツを取得する（Ｓ１０６´）。その後、コンテンツ取得部１０９は、取得した第３コンテンツ、第２コンテンツをそれぞれ、第３コンテンツ記憶部１０６、第２コンテンツ記憶部１０３に格納する（Ｓ１０７）、（Ｓ１０８）。
【０１１０】
尚、コンテンツデータベース１２２は、ＨＤＤ制御部１１０１Ａ及びＨＤＤ部１１０１Ｂの一部として実現しても良い。この場合、コンテンツデータベース１１２は、ＨＤＤ制御部によってＨＤＤ部に格納されたコンテンツと、対応するキー情報などのメタデータ情報を関連づけたデータベースである。キー情報と関連付けて記憶しておくことで、記憶したコンテンツの一部を、第２コンテンツ、又は、第３コンテンツとしても、利用することができる。
【０１１１】
（変形例２）
２つ目の場合は、コンテンツ取得部１０９が、表示制御部１０８に現在表示されているコンテンツを切りだす場合である。図１２に、この映像再生装置１が、第３コンテンツ、又は第２コンテンツを取得する動作方法を示すフローチャートを示す。この場合、第１の映像再生装置１の動作方法におけるＳ１０１、Ｓ１０２及びＳ１０７〜Ｓ１１０は同様であり、Ｓ１０３〜Ｓ１０６が異なる。即ち、この映像再生装置１は、コンテンツを取得する際に、キー情報を用いない。以下では、Ｓ１０３〜Ｓ１０６に変わって、行う処理Ｓ１０３´´について説明する。即ち、コンテンツ取得部１０９は、現在表示制御部１０８に再生表示されているコンテンツを切りだすことで選択して取得する（Ｓ１０３´´）。コンテンツ取得部１０９は、例えば、第２コンテンツとして、現在表示制御部１０８に再生しているコンテンツの静止画を切り出し、第３コンテンツ、又は第２コンテンツとして、現在表示制御部１０８に再生しているコンテンツの動画を切り出す。その後、コンテンツ取得部１０９は、取得した第３コンテンツ、第２コンテンツをそれぞれ、第３コンテンツ記憶部１０６、第２コンテンツ記憶部１０３に格納する（Ｓ１０７）、（Ｓ１０８）。
【０１１２】
また、本実施形態に係る映像再生装置１は、第３コンテンツの再生を、映像再生装置１の起動時以外の待ち時間に行っても良い。例えば、映像再生装置１の停止処理時、メニュー画面表示処理準備時、チャンネル切り替え時、ＤＶＤ、又はＳＤカード等のメディア操作（再生／一時停止、停止）待ち時間、又はロード待ち時間である。以下、それぞれの場合で、第３コンテンツを再生する方法につき、起動時に第３コンテンツを再生する方法と異なる点を中心に、説明する。（以下、それぞれ、変形例３〜変形例６とする。）
（変形例３）
まず、映像再生装置１の停止処理時に、第３コンテンツの再生を行う方法について説明する。
【０１１３】
図１３に、この映像再生装置１が、映像再生装置１の停止処理時に、第３コンテンツの再生を行う方法を示すフローチャートを示す。また、図１４に、この映像再生装置１が、映像再生装置１の停止処理時に、第３コンテンツの再生を行う方法を示す流れ図を示す。
【０１１４】
制御部１０４は、利用者からの映像再生装置１の停止処理要求を受けると、全ての各種アプリ及びデバイス１１０に対して、停止処理の開始を指示する。そして、全ての各種アプリ及びデバイス１１０は、停止処理を開始する（Ｓ３１０´）。
【０１１５】
次に、制御部１０４は、第３再生部１０５に対して、第３コンテンツの再生を指示する（Ｓ３１１）。尚、制御部１０４は、第３コンテンツの再生の指示を、各種アプリ及びデバイス１１０に対する停止処理の開始指示前に、行っても良い。
【０１１６】
次に、第３再生部１０５は、第３コンテンツ記憶部１０６に対して、第３コンテンツを要求する（Ｓ３１２）。第３再生部１０５は、第３コンテンツ記憶部１０６に対する第３コンテンツ要求時に、キー情報を通知する。
【０１１７】
次に、第３コンテンツ記憶部１０６は、キー情報に合致する第３コンテンツを第３再生部１０５に対して提供する（Ｓ３１３）。
【０１１８】
次に、第３再生部１０５は、第３再生部１０５から受け取った第３コンテンツを再生して再生した第３コンテンツを信号として送ることにより、表示制御部１０８に、第３コンテンツを表示するように指示する（Ｓ３１４）。
【０１１９】
次に、表示制御部１０８は、映像表示装置２により、第３コンテンツを表示させる（Ｓ３１５）。
【０１２０】
次に、全ての各種アプリ及びデバイス１１０は、停止処理を完了し、（Ｓ３１６´）制御部１０４に対して、停止処理が完了したことを通知する。
【０１２１】
次に、停止処理が完了したことの通知を受け取ると、制御部１０４は、第３再生部１０５の再生処理を完了する（Ｓ３１７）。尚、第３再生部１０５の再生処理を完了しても、表示制御部１０８は、第３再生部１０５の再生処理完了前に指示された第３コンテンツの表示処理を継続する。
【０１２２】
次に、制御部１０４は、制御部１０４自身を停止する（Ｓ３１８´）。尚、Ｓ３１８´において、映像表示装置２が、第３コンテンツの表示を継続している場合、制御部１０４は、表示制御部１０８による第３コンテンツの表示を強制的に終了して、制御部１０４を停止して良い。また、制御部１０４は、表示制御部１０８による第３コンテンツの表示終了後、表示制御部１０８からの表示終了の通知を受けて、制御部１０４を停止しても良い。
【０１２３】
本変形例にかかる映像再生装置１によれば、利用者が、映像再生装置１を停止処理中に、第３コンテンツを表示することにより、停止処理中の映像再生装置１の利用者の待ち時間に対する不満を低減することができる。
【０１２４】
（変形例４）
次に、映像再生装置１のメニュー画面表示処理準備時に、第３コンテンツの再生を行う方法について説明する。
【０１２５】
図１５に、この映像再生装置１が、メニュー画面表示処理準備時に、第３コンテンツの再生を行う方法を示すフローチャートを示す。また、図１６に、この映像再生装置１が、メニュー画面表示処理準備時に、第３コンテンツの再生を行う方法を示す流れ図を示す。
【０１２６】
制御部１０４は、映像再生装置１からのメニュー表示指示要求を受けると、メニュー画面表示処理の準備を開始する（Ｓ３１０´´）。メニュー画面表示処理の準備は、具体的には、以下の通りである。即ち、まず制御部１０４が、全ての各種アプリ及びデバイス１１０に対して、メニュー画面表示に必要な状態情報の取得要求を指示する。次に、全ての各種アプリ及びデバイス１１０は、状態情報の取得処理を実行し、取得すると、これを制御部１０４に通知する。状態情報とは、例えば、各種アプリ及びデバイス１１０が、現在保有しているコンテンツのリスト情報や、現在の設定情報である。次に、制御部１０４は、全ての各種アプリ及びデバイス１１０から状態情報を受け取ると、その状態情報を含むメニュー画面の作成処理を実行する。以上が、メニュー画面表示処理の準備である。
【０１２７】
次に、制御部１０４は、第３再生部１０５に対して、第３コンテンツの再生を指示する（Ｓ３１１）。尚、制御部１０４は、第３コンテンツの再生の指示を、メニュー画面表示処理の準備の開始前に、行っても良い。
【０１２８】
次に、第３再生部１０５は、第３コンテンツ記憶部１０６に対して、第３コンテンツを要求する（Ｓ３１２）。例えば、第３再生部１０５は、第３コンテンツ記憶部１０６に対する第３コンテンツ要求時に、キー情報を通知する。
【０１２９】
次に、第３コンテンツ記憶部１０６は、キー情報に合致する第３コンテンツを第３再生部１０５に対して提供する（Ｓ３１３）。
【０１３０】
次に、第３再生部１０５は、第３再生部１０５から受け取った第３コンテンツを再生して、再生した第３コンテンツを信号として送ることにより、表示制御部１０８に、第３コンテンツを表示するように指示する（Ｓ３１４）。
【０１３１】
次に、表示制御部１０８は、映像表示装置２により、第３コンテンツを表示する（Ｓ３１５）。
【０１３２】
次に、制御部１０４は、メニュー画面表示処理の準備を完了する（Ｓ３１６´´）。
【０１３３】
次に、制御部１０４が、メニュー画面表示処理の準備を完了すると、第３再生部１０５は、再生処理を完了する（Ｓ３１７）。尚、第３再生部１０５の再生処理を完了しても、表示制御部１０８は、第３再生部１０５の再生処理完了前に指示された第３コンテンツの表示処理を継続する。
【０１３４】
次に、制御部１０４は、表示制御部１０８に対して、メニュー画面の表示を指示する（Ｓ３１８´´）。
【０１３５】
次に、表示制御部１０８は、映像表示装置２により、メニュー画面を表示させる（Ｓ３１９´´）。尚、Ｓ３１５において、映像表示装置２が、第３コンテンツの表示を継続している場合、表示制御部１０８は、第３コンテンツの表示を強制的に終了して、メニュー画面を表示しても良いし、第３コンテンツの表示終了を待って、メニュー画面を表示しても良い。
【０１３６】
本変形例にかかる映像再生装置１によれば、利用者が、映像再生装置１のメニュー画面表示処理の準備中に、第３コンテンツを表示することにより、メニュー画面表示処理の準備中の映像再生装置１の利用者の待ち時間に対する不満を低減することができる。
【０１３７】
（変形例５）
次に、映像再生装置１のチャンネル切り替え時に、第３コンテンツの再生を行う方法について説明する。
【０１３８】
図１７に、この映像再生装置１が、チャンネル切り替え時に、第３コンテンツの再生を行う方法を示すフローチャートを示す。また、図１８に、この映像再生装置１が、チャンネル切り替え時に、第３コンテンツの再生を行う方法を示す流れ図を示す。
【０１３９】
制御部１０４は、映像再生装置１の利用者からのチャンネル切り替え指示要求を受けると、チューナー制御部１１０４Ａに対して、チャネル切り替えの指示行い、チューナー制御部１１０４Ａは、チューナー部１１０４Ｂを利用してチャンネル切り替え処理を開始する（Ｓ３１０´´´）。制御部１０４は、第１コンテンツが再生中である場合、再生を停止する。次に、制御部１０４は、第３再生部１０５に対して、第３コンテンツの再生を指示する（Ｓ３１１）。尚、制御部１０４は、第３コンテンツの再生の指示を、チャンネル切り替え処理の開始前に、行っても良い。
【０１４０】
次に、第３再生部１０５は、第３コンテンツ記憶部１０６に対して、第３コンテンツを要求する（Ｓ３１２）。例えば、第３再生部１０５は、第３コンテンツ記憶部１０６に対する第３コンテンツ要求時に、キー情報を通知する。
【０１４１】
次に、第３コンテンツ記憶部１０６は、キー情報に合致する第３コンテンツを第３再生部１０５に対して提供する（Ｓ３１３）。
【０１４２】
次に、第３再生部１０５は、第３コンテンツ記憶部１０６から受け取った第３コンテンツを再生して、再生した第３コンテンツを信号として送ることにより、表示制御部１０８に、第３コンテンツを表示するように指示する（Ｓ３１４）。
【０１４３】
次に、表示制御部１０８は、映像表示装置２により、第３コンテンツを表示させる（Ｓ３１５）。
【０１４４】
次に、チューナー制御部１１０４Ａ及びチューナー部１１０４Ｂは、チャンネル切り替え処理を完了する（Ｓ３１６´´´）と、制御部１０４に対して、チャンネル切り替え処理が完了したことを通知する。
【０１４５】
次に、制御部１０４が、チャンネル切り替え処理が完了したことの通知を受けとると、制御部１０４は、第３再生部１０５の再生処理を停止させる（Ｓ３１７´´´）。尚、第３再生部１０５の再生処理を完了しても、表示制御部１０８は、第３再生部１０５の再生処理完了前に指示された第３コンテンツの表示処理を継続する。
【０１４６】
次に、制御部１０４は、表示制御部１０８に対して、チャンネル切り替え後の画面を表示するように指示する（Ｓ３１８´´´）。  次に、表示制御部１０８は、映像表示装置２により、チャンネル切り替え後の画面である第１コンテンツを表示する（Ｓ３１９´´´）。尚、Ｓ３１５において、映像表示装置２が、第３コンテンツの表示を継続している場合、表示制御部１０８は、第３コンテンツの表示を強制的に終了して、チャンネル切り替え後の画面を映像表示装置２に表示させても良いし、第３コンテンツの表示終了を待って、チャンネル切り替え後の画面を表示させても良い。
【０１４７】
本変形例にかかる映像再生装置１によれば、利用者が、映像再生装置１のチャンネル切り替え中に、第３コンテンツを表示することにより、チャンネル切り替え中の映像再生装置１の利用者の待ち時間に対する不満を低減することができる。
【０１４８】
（変形例６）
次に、映像再生装置１の各種アプリ及びデバイス１１０の操作（例えば、第１コンテンツの再生、停止及び一時停止、第１コンテンツのロード）処理時に、第３コンテンツの再生を行う方法について説明する。
【０１４９】
図１９に、この映像再生装置１が、各種アプリ及びデバイス１１０の操作処理時に、第３コンテンツの再生を行う方法を示すフローチャートを示す。また、図２０に、この映像再生装置１が、各種アプリ及びデバイス１１０の操作処理時に、第３コンテンツの再生を行う方法を示す流れ図を示す。
【０１５０】
制御部１０４は、映像再生装置１の利用者からの第１コンテンツ操作の指示要求を受けると、第１コンテンツ操作指示を受けた対象である各種アプリ及びデバイス１１０（例えば、ネット制御部１１０３Ａ、ＨＤＤ制御部１１０１Ａ、又はＤＶＤ制御部１１０２Ａ）に対して、利用者の操作に従って第１コンテンツ操作の指示を行い、指示を受けた各種アプリ及びデバイス１１０は、第１コンテンツの操作処理を開始する。（Ｓ３１０´´´´）。各種アプリ及びデバイス１１０は、第１コンテンツの操作処理として、第１コンテンツのロードを伴う処理を行う。
【０１５１】
次に、制御部１０４は、第３再生部１０５に対して、第３コンテンツの再生を指示する（Ｓ３１１）。尚、制御部１０４は、第３コンテンツの再生の指示を、第１コンテンツ操作の指示要求の前に、行っても良い。
【０１５２】
次に、第３再生部１０５は、第３コンテンツ記憶部１０６に対して、第３コンテンツを要求する（Ｓ３１２）。例えば、第３再生部１０５は、第３コンテンツ記憶部１０６に対する第３コンテンツ要求時に、キー情報を通知する。
【０１５３】
次に、第３コンテンツ記憶部１０６は、キー情報に合致する第３コンテンツを第３再生部１０５に対して提供する（Ｓ３１３）。
【０１５４】
次に、第３再生部１０５は、第３再生部１０５から受け取った第３コンテンツを再生して、再生した第３コンテンツを信号として送ることにより、表示制御部１０８に、第３コンテンツを表示するように指示する（Ｓ３１４）。
【０１５５】
次に、表示制御部１０８は、映像表示装置２により、第３コンテンツを表示させる（Ｓ３１５）。
【０１５６】
次に、各種アプリ及びデバイス１１０は、第１コンテンツの操作処理を完了する（Ｓ３１６´´´´）と、制御部１０４に対して、第１コンテンツの操作処理が完了したことを通知する。
【０１５７】
次に、制御部１０４が、第１コンテンツの操作処理が完了したことの通知を受けとると、制御部１０４は、第３再生部１０５の再生処理を停止する（Ｓ３１７）。尚、第３再生部１０５の再生処理を完了しても、表示制御部１０８は、第３再生部１０５の再生処理完了前に指示された第３コンテンツの表示処理を継続する。
【０１５８】
次に、制御部１０４は、表示制御部１０８に対して、第１コンテンツの操作処理結果である第１コンテンツを表示するように指示する（Ｓ３１８´´´´）。
【０１５９】
次に、表示制御部１０８は、映像表示装置２により、第１コンテンツの操作処理結果である第１コンテンツを再生表示する（Ｓ３１９´´´´）。尚、Ｓ３１５において、映像表示装置２が、第３コンテンツの表示を継続している場合、表示制御部１０８は、第３コンテンツの表示を強制的に終了して、第１コンテンツを再生表示しても良いし、第３コンテンツの表示終了を待って、第１コンテンツ操作処理結果である第１コンテンツを表示しても良い。
【０１６０】
本変形例にかかる映像再生装置１によれば、利用者が、映像再生装置１の第１コンテンツの操作処理待ち時間中、又はロード待ち時間中に、第３コンテンツを表示することにより、第１コンテンツの操作処理待ち時間中、又はロード待ち時間中の映像再生装置１の利用者の操作待ちに対する不満を低減することができる。
【０１６１】
なお、本実施形態にかかる映像再生装置１は、汎用のコンピュータ装置を基本ハードウェアとして用いることでも実現することが可能である。即ち、ブートローダ１０１、第２再生部１０２、第２コンテンツ記憶部１０３、第３コンテンツ記憶部１０６、制御部１０４、第３再生部１０５、各種アプリ及びデバイス１１０、アクション検出部１０７、コンテンツ取得部１０９、表示制御部１０８は、上記のコンピュータ装置に搭載されたプロセッサにプログラムを実行することにより実現することができる。このとき、映像再生装置１は、上記のプログラムを実行させることにより実現することができる。このとき、映像再生装置１は、上記のプログラムをコンピュータ装置にあらかじめインストールすることで実現しても良いし、ＣＤ−ＲＯＭなどの記憶媒体に記憶して、あるいはネットワーク４を介して上記のプログラムを配布して、このプログラムをコンピュータ装置に適宜インストールすることで実現しても良い。また、第２コンテンツ記憶部１０３、第３コンテンツ記憶部１０６は、上記のコンピュータ装置に内蔵あるいは外付けされたメモリ、ハードディスク若しくはＣＤ−Ｒ、ＣＤ−ＲＷ、ＤＶＤ−ＲＡＭ，ＤＶＤ−Ｒなどの記憶媒体などを適宜利用して実現することができる。
【０１６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される前構成要素から幾つかの構成要素を削除しても良い。さらに、異なる実施形態にわたる構成要素を適宜組み合わせても良い。
【０１６３】
例えば、本実施形態において、第３コンテンツ、第２コンテンツを区別して記載したが、第３コンテンツ、第２コンテンツは、区別なく同じコンテンツであっても良い。
【０１６４】
また、本実施形態に係る通信システムは、映像再生装置が、ハードディスクレコーダー機能を備えたＤＶＤプレイヤーであるとして説明した。しかしながら、映像再生装置は、テレビであっても良い。この場合、映像再生装置は、映像表示装置の機能も備える。即ち、映像再生装置は、映像再生装置が再生するコンテンツを画面に表示することができる。従って、この場合、通信システムは、映像表示装置を備えないシステムであっても良い。
【符号の説明】
【０１６５】
１・・・映像再生装置、２・・・映像表示装置、３・・・放送波受信機、４・・・ネットワーク、５・・・放送波通信網、６・・・コンテンツサーバ、７…放送局、１０１・・・ブートローダ、１０２・・・第２再生部、１０３・・・第２コンテンツ記憶部、１０４・・・制御部、１０５・・・第３再生部、１０６・・・第３コンテンツ記憶部、１０７・・・アクション検出部、１０８・・・表示制御部、１０９・・・コンテンツ取得部、１１０・・・各種アプリ及びデバイス、１１１・・・ブートエリア、１１０１Ａ・・・ＨＤＤ制御部、１１０１Ｂ・・・ＨＤＤ部、１１０２Ａ・・・ＤＶＤ制御部、１１０２Ｂ・・・ＤＶＤ部、１１０３Ａ・・・ネット制御部、１１０３Ｂ・・・ネットＩ／Ｆ部、チューナー制御部・・・１１０４Ａ、チューナー部・・・１１０４Ｂ、１１２・・・コンテンツデータベース、６０１・・・コンテンツ送信部、６０２・・・キー情報受信部、６０３・・・サーバ制御部、６０４・・・データベース
【図１】
2010239209.tif 000003
【図２】
2010239209.tif 000004
【図３】
2010239209.tif 000005
【図４】
2010239209.tif 000006
【図５】
2010239209.tif 000007
【図６】
2010239209.tif 000008
【図７】
2010239209.tif 000009
【図８】
2010239209.tif 000010
【図９】
2010239209.tif 000011
【図１０】
2010239209.tif 000012
【図１１】
2010239209.tif 000013
【図１２】
2010239209.tif 000014
【図１３】
2010239209.tif 000015
【図１４】
2010239209.tif 000016
【図１５】
2010239209.tif 000017
【図１６】
2010239209.tif 000018
【図１７】
2010239209.tif 000019
【図１８】
2010239209.tif 000020
【図１９】
2010239209.tif 000021
【図２０】
2010239209.tif 000022